(57)【特許請求の範囲】
【請求項１】
肛門から直腸へ挿入される棒状体の先端に棒状体の長手方向に対して略直角方向に突出できる拡巾部材を設け、同拡巾部材の外側を伸縮自在な又は折畳み自在な保護シートで覆い、拡巾部材を棒状体の基端側の操作で拡巾できるようにする拡巾手段を備え、保護シート内で拡巾部材を略直角方向に拡巾した状態で棒状体を肛門側へ引き寄せることで腸内物を掻き出す排便装置。
【請求項２】
肛門から直腸に挿入される筒体内にその先端部分が筒体から先方へ突出できるように棒状体を進退自在に取付け、同筒体内の空間を吸引ポンプに接続して筒体先端開口から腸内物を吸引して排出できるようにした請求項１記載の排便装置。
【請求項３】
筒状体内にある棒状体及び拡巾部材及び拡巾手段の部分を折り畳み又は伸縮自在な保護シートでもって防水被覆し、これらに腸内物と接触しないようにした請求項２記載の排便装置。
【請求項４】
保護シートの下部が筒体内部で折畳み自在又は伸縮自在で棒状体の進退に対して伸び縮んで対応できるようにした請求項３記載の排便装置。
【請求項５】
筒体の内部又はこれに続く排出路途中に腸内物の破砕手段を設けた請求項２〜４何れか記載の排便装置。
【請求項６】
拡巾部材が椀状でその基端で棒状体の先端部に枢支され、同拡巾部材を略水平までに突出するように回転させるワイヤを結着し、同ワイヤを棒状体内の空間を経て外部操作部まで引き出した請求項１〜５記載の排便装置。
【発明の詳細な説明】
【０００１】
【発明の属する技術分野】
本発明は、腸内の排出できにくい宿便の強制排出、及び自己排便力の弱い人、又は失なわれた人（老人・病人）の為の直腸内の腸内物（便）の強制排便装置である。
【０００２】
【従来の技術】
従来、腸内の排出しにくい宿便等の固形状の腸内物は、医師・看護士が肛門から指を挿入し、指でもって強制的に排出するようにしていた。この方法は、手間と熟練を要する作業であった。
本出願人は、これを解消すべく、筒体を肛門から挿入し、ポンプで筒体内を負圧にして腸内物を吸引排出しながら、筒体の先端に腸内物を破砕・掻き出す機構を設けて、硬くなった便を小さく破砕して吸引して排出する装置を開発した。
この開発した装置でも便の破砕が不充分な場合があった。
【０００３】
【発明が解決しようとする課題】
本発明が解決しようとする課題は、従来の問題点を解消し、腸内壁を傷つけず腸内物の排出を確実にする排便装置を提供することにある。
【０００４】
【課題を解決するための手段】
かかる課題を解決した本発明の構成は、
１）  肛門から直腸へ挿入される棒状体の先端に棒状体の長手方向に対して略直角方向に突出できる拡巾部材を設け、同拡巾部材の外側を伸縮自在な又は折畳み自在な保護シートで覆い、拡巾部材を棒状体の基端側の操作で拡巾できるようにする拡巾手段を備え、保護シート内で拡巾部材を略直角方向に拡巾した状態で棒状体を肛門側へ引き寄せることで腸内物を掻き出す排便装置
２）  肛門から直腸に挿入される筒体内にその先端部分が筒体から先方へ突出できるように棒状体を進退自在に取付け、同筒体内の空間を吸引ポンプに接続して筒体先端開口から腸内物を吸引して排出できるようにした前記１）記載の排便装置
３）  筒状体内にある棒状体及び拡巾部材及び拡巾手段の部分を折り畳み又は伸縮自在な保護シートでもって防水被覆し、これらに腸内物と接触しないようにした前記２）記載の排便装置
４）  保護シートの下部が筒体内部で折畳み自在又は伸縮自在で棒状体の進退に対して伸び縮んで対応できるようにした前記３）記載の排便装置
５）  筒体の内部又はこれに続く排出路途中に腸内物の破砕手段を設けた前記２）〜４）何れか記載の排便装置
６）  拡巾部材が椀状でその基端で棒状体の先端部に枢支され、同拡巾部材を略水平までに突出するように回転させるワイヤを結着し、同ワイヤを棒状体内の空間を経て外部操作部まで引き出した前記１）〜５）記載の排便装置
にある。
【０００５】
【作用】
本発明の排便方法は、棒状体を肛門から直腸内に挿入する。このときは拡巾部材は非拡巾状態として棒状体及び拡巾部材の巾を小さくして肛門・直腸への挿入抵抗を低くして挿入を容易にする。又、直腸内の便等の腸内物の排出するときは、拡巾部材を拡巾手段によって棒状体の長手方向に対して略直角方向に突出させて拡巾した状態とする。この状態では保護シートは伸び又は引張してテント状に張る。この棒状体を肛門方向に引き寄せることで、拡巾部材の突出によって腸内物を肛門・筒体先端開口方向に掻き寄せるものである。挿入するときは拡巾部材を縮めて腸内物を奥へ押し込まないように挿入し、その後拡巾部材を略直角方向に突出させて前記の様に腸内物を肛門方向に掻き寄せるものである。
拡巾部材を拡巾しても拡巾部材を保護シートが覆っているので拡巾部材が直接腸内壁と接触することがないので腸内壁を傷つけることが少ない。又、拡巾部材は保護シート内での拡縮であるので、拡巾部材と棒状態の間に腸内物が侵入することがなく、拡巾部材の拡縮作動が確実にできる。
又、筒体内部又はそれに続く排出路に腸内物破砕手段を設ければ腸内物を小さく破砕して容易に送れる。
筒体内を吸引ポンプと接続して負圧状にして吸引力が作用するようにしてもよい。
【０００６】
【発明の実施の形態】
本発明としては、棒状体と拡巾部材とこれらの被覆した最も基本的な構成の排便装置のものがある。これ単独で器具として肛門から挿入し、手操作で進退と拡巾・収縮を繰り返すことで肛門から掻き出す。
本発明の棒状体は、細長の棒、肛門からの挿入が容易な径のパイプ・筒体をも含む。
又これを筒体内に取付け、同筒体内を吸引ポンプに接続して、棒状体の進退・拡巾部材の拡巾・収縮を繰り返して腸内物を筒体の先端開口方向に移動させ、筒体の負圧吸引力によって掻き寄せられた腸内物を筒体内に吸引して外部に排出する場合とがある。本発明の拡巾部材としては椀状、スプーン状の湾曲面をもつものを、その基端で棒状体の先端部に枢着し、ワイヤ等によって拡巾部材を略直角方向に回動させ、又挿入するときは、スプリング又は別のワイヤ等で棒状体に沿う状態まで回動させるのが簡単な方法である。拡巾部材を棒状体の先端部に沿うように引き寄せる方法としては、スプリングを用いる方法、ワイヤ操作の方法、操作棒で拡巾部材の枢支した端を進退させて拡縮する方法、ねじ軸と螺合した雌ねじの移動による方法等がある。
本発明の保護シートは、拡巾部材の部分だけに被覆するようにする場合、拡巾部材及び先端部を広く被覆するようにする場合及び、拡巾部材・先端部・棒状体全体を被覆する場合がある。又その素材は破れにくい薄いプラスチックシート、ゴム膜が使われる。
本発明の拡巾部材の進退は、棒状体の長手方向への先端部と一緒に進退してもよいし、拡巾部材のみが進退する構造でもよい。
本発明では、棒状体、拡巾部材、拡巾手段を筒体内の空間で腸内物と接触して汚れるのを防ぐため、伸縮自在、折り畳み自在な防水性被覆体で覆い、汚れの洩出、汚れによる動きが停止するのを少なくすることが好ましい。
又本発明の筒体には肛門との固定、腸内物の洩出を少なくするために、バルーンを外周を取付けることが好ましい。
【０００７】
【実施例】
以下、本発明の実施例を図面に基づいて説明する。本実施例は、棒状体の先端を太くし、これに椀状の拡巾部材をその基端で枢着し、ワイヤでもって拡巾し、拡巾部材の収縮はスプリングによっている。又これを筒体内に進退自在に取付け、筒体内部と棒状体、拡巾部材、ワイヤとは折り畳み自在な被覆膜で腸内物と接触しないようにし、又筒体内を吸引ポンプと接続して負圧にして、負圧吸引で腸内物を排出し易くし、更に排出口に腸内物の破砕羽根を回動させて破砕して送り易くした例である。
図１は、実施例の縦断面図である。
図２は、実施例の拡巾部材の要部を示す説明図である。
図３は、実施例の棒状体の先端部の拡大一部切欠正面図である。
図中、１はワイヤ３を挿入できる中空部を有する棒状体、１ａは同棒状体の外径が大きくなった先端部、１ｂは同先端部の下部の陥凹部、２は椀状の拡巾部材、２ａは同拡巾部材の枢軸、２ｂは拡巾部材２を陥凹部１ｂへ付勢するスプリング、３は同拡巾部材を陥凹部１ｂに収納して収縮させた位置から略直角に倒し込んで拡巾状態にするためのワイヤであって、拡巾部材２の先端部に結着され、棒状体１の中空部を通って外部の操作部６にまで引き出されている。３ａはワイヤ３の先端の結着個所、４は棒状体１，拡巾部材２を被覆する防水性保護シート、４ａは同保護シートと棒状体１との接着個所、４ｂは同保護シートの下部の折り畳み部分、４ｃは同保護シートと筒体５との接着部分、５は筒体、５ａは筒体５の先端開口、５ｂは筒体５の底面、５ｃは排出口、５ｄは筒体５の外周に取付けた膨縮自在なバルーン、５ｅは同バルーンの送気チューブ、６は操作部、６ａは棒状体１の基端に取付けた把手、６ｂは把手６ａ内側に枢支した拡巾部材２の拡巾操作用レバー、６ｃは同レバーの枢軸、６ｄはレバー６ｂとワイヤ３との結着部分、６ｆはワイヤリターンガイド孔、７はチューブを加圧する正逆回転可能なスクイズ式ポンプ、８は排出口５ｃと接続された排出チューブ、９は腸内物収容容器、１０は温水・生食水・水等の液体を収めた温水タンク、１１は切換器、１３は排出口５ｃに設けた破砕羽根、１３ａは同破砕羽根の回転軸、１３ｂは破砕羽根１２を回動するモータである。
この実施例では、筒体５の先端部に水溶性キャップ１２を被着して筒体５及びその内部に収めた棒状体１を肛門から挿入し、挿入後送気チューブ５ｅへ空気を送って２つのバルーン５ｄを膨らまして筒体５を肛門に固定し、又腸内物の洩れを防止する。次に、温水タンク１０内の温水・生食水・水（温水と総称する）をポンプ７で吸引して排出チューブ８、排出口５ｃを介して筒体５内に送り、先端の水溶性キャップ１２を溶かして除去する。
その後、把手６ａを手でもって直腸方向に押すと、棒状体１は直腸内の腸内物内へ深く押し込まれる。このとき拡巾部材２は棒状体１の陥凹部１ｂ内にあり、この状態は、スプリング２ｂが拡巾部材２を付勢し、陥凹部１ｂ内に保持する。従って、棒状体１の先端部１ａには突出が少ない状態であり、腸内物中に抵抗少なく挿入される。又、腸内物の押し戻しも少ない。
押し込み後レバー６ｂを手で握って把手６ａ方向に引き寄せることで、ワイヤ３が引張され、拡巾部材２をその枢軸２ａまわりに回転させ、拡巾部材２を略直角まで突出させる。レバー６ｂを握った状態で把手６ａを手前へ引き出すと、拡巾部材２が被覆の保護シート４をテント状に張った状態で引き寄せられる。これによって腸内物の一部が拡巾部材２、保護シート４によって掻き込まれ、筒体５の先端開口５ａへ移動される。
筒体５の排出口５ｃは排出チューブ８を介してスクイズ式ポンプ７によって吸引されて負圧状態になっていて、筒体５の先端開口５ｃに掻き寄せられた便等の腸内物が負圧によって吸引され、筒体５内部を通って排気口５ｃにおいて破砕羽根１３の回転によって小さく破砕され、詰りにくくして排出チューブ８、ポンプ７を経て腸内物収容容器９へ収められる。
腸内物の拡巾部材２による掻き寄せは、把手６ａの進退とレバー６ｂの握りと解放の繰り返しによってなされる。
【０００８】
【発明の効果】
以上の様に、拡巾した状態の拡巾部材の引き寄せと、収縮状態での挿入の繰り返しによって、腸内物を確実に排出することができる。又保護シートによって腸内壁に拡巾部材が直接接触せず、腸内壁を傷つけることが少ない。又棒状体・拡巾部材が腸内物と直接接触することが少なくなり、確実に作動ができるようにしている。又筒体内又はこれに続く排出路中に破砕手段を設ければ、腸内物を小さく破砕して送れるので詰りを少なくできる。又筒体内を吸引ポンプによって負圧にすれば更に容易に吸引排出できるようになる。
【図面の簡単な説明】
【図１】実施例の縦断面図である。
【図２】実施例の拡巾部材の要部を示す説明図である。
【図３】図２のＡ−Ａ断面図である。
【符号の説明】
１  棒状体
１ａ  先端部
１ｂ  陥凹部
２  拡巾部材
２ａ  枢軸
２ｂ  スプリング
３  ワイヤ
４  保護シート
４ａ  接着個所
４ｂ  折り畳み部分
４ｃ  接着部分
５  筒体
５ａ  先端開口
５ｂ  底面
５ｃ  排出口
５ｄ  バルーン
５ｅ  送気チューブ
６  操作部
６ａ  把手
６ｂ  レバー
６ｃ  枢軸
６ｄ  結着部分
６ｆ  ワイヤリターンガイド孔
７  ポンプ
８  排出チューブ
９  腸内物収容容器
１０  温水タンク
１１  切換器
１２  水溶性キャップ
１３  破砕羽根
１３ａ  回転軸
１３ｂ  モータ
【図１】
0003646032.tif 000002
【図２】
0003646032.tif 000003
【図３】
0003646032.tif 000004